(57)【要約】【課題】４本足方式の脚装置を有する非回転式椅子において、シンプルで見栄えが良い骨組み構造をできるだけ低廉に製造可能とする。【手段】左右の前部足５は上水平部５ｃを有しており、左右の後部足６は上水平部６ｃを有している。脚装置１の上方にはサポートフレーム４が配置されている。サポートフレーム４は左右の背支柱４ａと下水平部４ｂとを有しており、前後上水平部５ｃ，６ｃと下水平部４ｂとが束ねた状態で溶接等で固着されている。左右前部足５及び左右後部足６はその内部に挿通した継手部材で連結されている。背もたれと座とはサポートフレーム４の背支柱４ａに取り付けられている。各足５，６は市販のパイプを使用して製造可能であるため、加工に要する手間を抑制して全体のコストダウンに貢献できる。【選択図】図５
2010005288.tif 000002
【特許請求の範囲】
【請求項１】
左右２本ずつの前部足及び後部足を有する脚装置と、前記脚装置の上方に配置された座と、着座した人が凭れ掛かり得る背もたれと、左右２本の背支柱を有するサポートフレームとを有しており、前記座と背もたれとはサポートフレームの背支柱に取り付けられている、という椅子であって、
前記左右前部足の上端は左右横長の上水平部を介して一連に繋がっており、前記左右後部足の上端は左右横長の上水平部を介して一連に繋がっている一方、前記サポートフレームの左右背支柱は左右横長の下水平部を介して一連に繋がっており、前部足の上水平部と後部足の上水平部とサポートフレームの下水平部との三者が束ねた状態に固定されている、
椅子。
【請求項２】
前記サポートフレームは１本の金属パイプを折り曲げて製造されている一方、前記各足はいずれも金属パイプ製であって上水平部を有する状態で個別に製造されており、左右前部足の上水平部及び左右後部足の上水平部は当該上水平部に挿入された継手部材で接続されている、
請求項１に記載した椅子。
【請求項３】
前記前部足は側面視で上水平部から斜め前向きに延びる傾斜部を有して、前記後部足は側面視で上水平部から斜め後ろ向きに延びる傾斜部を有している一方、前記サポートフレームの背支柱は側面視で後傾姿勢になっており、
更に、前後足における上水平部の断面形状は、それぞれ側面視で傾斜部の姿勢と直交した方向が長円方向となる楕円形状になっている一方、前記サポートフレームにおける下水平部の断面形状は、側面視で背支柱の姿勢と直交した方向が長円方向となる楕円形状になっており、後部足の上水平部を前部足の上水平部よりも下方に下げた状態で、サポートフレームの下水平部を前後足の上水平部に当接させている、
請求項１又は２に記載した椅子。
【請求項４】
前記前部足の上水平部と後部足の上水平部とにはそれらに下方から重なる側面視略Ｌ形の補強板が溶接されており、かつ、前記補強板はカバーで覆われている、
請求項１〜３のうちの何れかに記載した椅子。
【発明の詳細な説明】
【技術分野】
【０００１】
本願発明は、脚装置を４本足にした非回転式椅子に関するものである。
【背景技術】
【０００２】
椅子の一つのタイプとして脚装置を４本足方式にしたものがあり、会議用や商談用のように人が短い時間使用する比較的簡易な椅子に多用されている。そして、４本足方式と雖も素材や形状など様々であるが、例えば座が跳ね上げ式で前後（又は上下）にスタッキングできるタイプの椅子があり、その例が例えば特許文献１，２に開示されている。
【０００３】
特許文献１では、前部足を座の上方において後方に曲げてその後端を後部足に溶接しており、座は左右の前部足及び後部足に掛け渡したステーで支持している。他方、特許文献２では、前部足の上端に後ろ向きの水平部を折り曲げ形成し水平部の後端を後部足に溶接しており、座は、水平部に跳ね上げ回動自在に連結された支持部材に取り付けられている。特許文献１，２で例示されている椅子は前後足等の骨組みを金属パイプで製造しており、このためパイプ椅子と呼ばれることも多い。
【特許文献１】特開２０００−５０９９５号公報
【特許文献２】特開２００１−１２８７７６号公報
【発明の開示】
【発明が解決しようとする課題】
【０００４】
これら特許文献１，２に開示されている椅子は一つのタイプとして確立しており、細いパイプを使用して強度に優れた構造にすることができる利点があるが、前後脚装置は座の左右側端部に位置しているため、人の歩行に際して鞄のような持ち物が足の上部に当たる可能性もあり、そこで、足の上部をできるだけ座の内側に入り込ませて足を目立たなくしたものに対する要望が考えられる。
【０００５】
この点については、事務用に多用されている回転椅子の脚装置を転用することが考えられる。すなわち、脚支柱としてガスシリンダを使用している回転椅子の脚装置では、ガスシリンダが嵌着されている筒部から枝足が放射状に延びており、座と各枝足との間には大きな空間が空いているため、物が当たることは無く、また、着座した人が例えば座の縁に手を当てるに際して足に手が触れて違和感を与えると言うようなこともない。
【０００６】
そして、ガスシリンダ方式の回転椅子において、各枝足と筒部と樹脂で一体成形する場合と、各枝足を金属パイプ製としてこれらを筒部に溶接等で固着する場合（例えば特開２００７−２１５９３４号公報参照）とがあるが、一体成形方式は製造装置（金型）が大型化及び複雑化して製造コストが嵩んだり、嵩張るため運搬・保管に手間が掛かるという問題がある。他方、後者のように金属パイプ等を素材として製造された枝足を固着する方式では、市販の素材を利用できるためコストを抑制できると共に、単体の状態で枝足は嵩張らないため運搬や保管に際してスペースを有効利用できる利点がある。
【０００７】
従って、特許文献１，２に開示されているような椅子（特にスタッキングできる椅子）に回転椅子の脚装置をそのまま転用できるという訳にはいかない。更に述べると、特許文献１，２では前部足や後部足に一体に設けた背支柱に背もたれを取り付けているが、回転椅子の脚装置を特許文献１，２に転用した場合、背もたれを取り付けるための部材（フレーム）が必要になるが、この背もたれ用フレームを脚装置にどのようにして取り付けるかという問題も生じてくる。
【０００８】
本願発明はこのような現状に鑑み成されたものであり、脚装置が４本足方式になっている椅子を改良した形態で提供することを目的とするものである。
【課題を解決するための手段】
【０００９】
本願発明に係る椅子は、左右２本ずつの前部足及び後部足を有する脚装置と、前記脚装置の上方に配置された座と、着座した人が凭れ掛かり得る背もたれと、左右２本の背支柱を有するサポートフレームとを有しており、前記座と背もたれとはサポートフレームの背支柱に取り付けられている、という基本構成になっている。
【００１０】
そして、請求項１では、前記左右前部足の上端は左右横長の上水平部を介して一連に繋
がっており、前記左右後部足の上端は左右横長の上水平部を介して一連に繋がっている一方、前記サポートフレームの左右背支柱は左右横長の下水平部を介して一連に繋がっており、前部足の上水平部と後部足の上水平部とサポートフレームの下水平部との三者が束ねた状態に固定されている。なお、本願発明において、脚装置を構成する上水平部はそれぞれ前部足の一部と観念することも可能である。
【００１１】
請求項２の発明に係る椅子は、請求項１において、前記サポートフレームは１本の金属パイプを折り曲げて製造されている一方、前記各足はいずれも金属パイプ製であって上水平部を有する状態で個別に製造されており、左右前部足の上水平部及び左右後部足の上水平部は当該上水平部に挿入された継手部材で接続されている。
【００１２】
請求項３の発明に係る椅子は、前記前部足は側面視で上水平部から斜め前向きに延びる傾斜部を有して、前記後部足は側面視で上水平部から斜め後ろ向きに延びる傾斜部を有している一方、前記サポートフレームの背支柱は側面視で後傾姿勢になっており、更に、前後足における上水平部の断面形状は、それぞれ側面視で傾斜部の姿勢と直交した方向が長円方向となる楕円形状になっている一方、前記サポートフレームにおける下水平部の断面形状は、側面視で背支柱の姿勢と直交した方向が長円方向となる楕円形状になっており、後部足の上水平部を前部足の上水平部よりも下方に下げた状態で、サポートフレームの下水平部を前後足の上水平部に当接させている。
【００１３】
請求項４の発明に係る椅子は、請求項３において、前記前部足の上水平部と後部足の上水平部とにはそれらに下方から重なる側面視略Ｌ形の補強板が溶接されており、かつ、前記補強板はカバーで覆われている。
【発明の効果】
【００１４】
本願発明では、座はサポートフレームの背支柱に取り付けられているため、座の四周縁部の下方には空間が空いており、このため、物が足に当たることを防止又は著しく抑制できると共に、外観もすっきりしたものになる。
【００１５】
そして、左右前部足と左右後部足及びサポートフレームとは互いに分離した状態で製造されており、このため、全体をダイキャストや樹脂成形等の成形品とする場合に比べて製造装置の大型化や複雑化を防止でき、その結果、製造コストを抑制することが可能になる。また、前後足の上水平部とサポートフレームの下水平部とは左右横長であるため、それら上水平部と下水平部とを左右の広い範囲で溶接等で固着することができ、その結果、脚装置とサポートフレームとから成る全体の骨組みを高い強度に保持できる。
【００１６】
左右の前部足と左右の後部足とは、それぞれダイキャスト等の成形品としたりパイプを素材として曲げ加工したりして単一構造にすることも可能であるが、請求項２のように左右の前部足と左右の後部足とをそれぞれパイプで個別に製造すると、市販のパイプを材料として簡単な曲げ加工によって各足を得ることができる。
【００１７】
さて、椅子に作用した荷重（特に背もたれに凭れ掛かったときの背もたれ荷重）はサポートフレームに対してこれを後傾させるようなモーメントと作用することになり、このため、荷重が脚装置の上水平部に集中的に作用する。従って、左右の前部足をパイプ製の一体物として上水平部に高い強度を確保させるためには、材料のパイプの肉厚を厚くせねばならず、すると曲げ加工に大きなパワーが必要になる等の問題が生じる虞があるが、請求項２のように４本の足を分離製造して左右の足を継手部材で接続すると、継手部材を補強材として機能させることにより、パイプの肉厚を過度に厚くすることなく必要な強度を確保することができる。
【００１８】
ところで、外観の点からは足はできるだけ細いのが見栄えが良い一方、上水平部は強度を確保するためにできるだけ大きな断面積であるのが好ましいが、前部足と後部足とが１本のパイプを材料にして製造されていると、材料になるパイプはその両端部が細くなっていなければならず、これは加工が面倒である。他方、先窄まりテーパ部とストレート部とを有するパイプが市販されており、請求項２の構成を採用すると、このテーパ部付きの市販パイプを素材として足を製造することができ、このため、加工及び製造のコストを抑制した状態で見栄えと強度とに優れた脚装置を得ることができる。この点も請求項２の利点である。
【００１９】
請求項３のように前後足を側面視で傾斜させると、脚装置は安定性を確保しつつできるだけ人の足の邪魔にならない状態になるため好適であり、かつ、前後方向のスタッキングも可能になる（平面視においても傾斜させるとスタッキングにはより好適である。）。
【００２０】
また、脚装置の前後上水平部とサポートフレームの下水平部は固着手段として互いに当接させて溶接するのが好ましいが、請求項３のように上水平部と下水平部とが楕円形状になっていると、実施形態の図５から理解できるように、各水平部が真円である場合に比べて、真円である場合と同じ断面積であっても、椅子の側面視で、隣り合った水平部同士の当接位置の間隔を大きくすることができ、その結果、パイプの断面積を過度に大きくすることなく骨組み全体として高い強度を確保できる。
【００２１】
更に、請求項３では後部の上水平部を前部の上水平部よりも下方にずらしているため、前後の上水平部とサポートフレームの下水平部とで囲われた空間の断面積をできるたけ小さくすることができ、これにより、脚装置とサポートフレームとの接続部をできるだけコンパクト化することができる。
【００２２】
請求項４の構成を採用すると、補強板の存在によって脚装置の強度を一層向上でき、しかも、カバーの存在によって見栄えも保持できる。すなわち、美感を悪化を招来することなく強度を大幅にアップできる。
【発明を実施するための最良の形態】
【００２３】
次に、本願発明の実施形態を図面に基づいて説明する。図１は椅子の斜視図、図２のうち（Ａ）は部分的な正面図、（Ｂ）は側面図、（Ｃ）は部分的な斜視図であり、まず、これらの図に基づいて椅子の概略を説明する。
【００２４】
(1).椅子の概略
椅子は、脚装置１と座２と背もたれ３とを備えており、座２と背もたれ３とはサポートフレーム４に取り付けられている。脚装置１は左右の前部足５と左右の後部足６とを有する４本足方式になっており、前部足５は側面視で後傾姿勢（斜め前向き）の傾斜部５ａとその前端から下向きに延びる前鉛直部５ｂとを有している一方、後部足５は側面視で前傾姿勢（斜め後ろ向き)の傾斜部６ａとその後端から下向きに延びる後延長部６ｂとを有しており、前後の鉛直部５ｂ，６ｂにキャスター７を設けている。
【００２５】
前後足５，６の傾斜部５ａ，６ａは正面視でも先端に向けて低くなるように傾斜している。この場合、前部足５と後部足６とで上端の間隔と正面視の傾斜角度とを変えることにより、椅子を前後に部分的に嵌め合わせできる（スタッキングできる）ようになっている。また、前部足５の傾斜部５ａが水平に対して傾斜した傾斜角度よりも後部足６の傾斜部６ａが水平に対して傾斜した傾斜角度が若干小さくなっている。
【００２６】
サポートフレーム４は、上下方向に延びる左右の背支柱４ａとその下端に連続した左右横長の下水平部４ｂとを有して正面視略Ｕ字状に形成されている。また、サポートフレーム４は側面視において鉛直線に対して若干の角度で後傾しており、サポートフレーム４の左右背支柱４ａに挿入したジョイント部材８を介して背もたれ３と肘当て９とが取り付けられている。また、背支柱４ａの下部は正面視で上に行くに従って外側に向かうように傾斜した傾斜部４ｃになっており、背支柱４ａのうち傾斜部４ｃの上方の真上当たりの部分に軸受け１０を固着し、この軸受け１０に座２の後部が連結されている。
【００２７】
図２（Ｂ）に示すように、座２は軸受け１０を中心にして跳ね上げることができる。すなわち、座２は折り畳み式になっている。左右前部足５の上端部には正面視下向き開口コ字状の受け部材１１が溶接によって固着されており、座２は受け部材１１によって略水平状の姿勢に保持される。
【００２８】
サポートフレーム４は楕円形のパイプ（オーバル管）を材料にして製造されており、前後方向が長円方向になっている。他方、各足５，６はスチールパイプのような金属パイプを材料にして製造されており、傾斜部５ａ，６ａは先端に行くに従って断面積が小さくなるテーパ状になっており、鉛直部５ｂ，６ｂは真円でストレートになっている。
【００２９】
また、前部足５の上端には内向きに延びる左右横長の前部上水平部５ｃが一体に曲げ形成されていて、左右の前部上水平部５ｃは互いに突き合わさっている。同様に、後部足６の上端にも内向きに延びる左右横長の後部上水平部６ｃが一体に形成されており、左右の
後部上水平部６ｃは互いに突き合わさっている。前後足５，６の傾斜部５ａ，６ａと上水平部５ｃ，６ｃとは前後方向が長円方向となる楕円形状になっている。前部足５及び後部足６は、楕円形のストレート部と同じく楕円形のテーパ部と小径の円形ストレート部を有する市販の異径パイプを材料にして製造されている。
【００３０】
(2).脚装置の詳細及びサポートフレームの固着構造
前後足５，６の上水平部５ｃ，６ｃとサポートフレーム４の下水平部４ｂとは束ねたような状態で一体に固着されており、この束ねた部分に下方からカバー装置１２を装着している。次に、脚装置１の上部の構造、及び、脚装置１とサポートフレーム４との固着構造を図３以下の図面も参照して説明する。
【００３１】
図３は部材の分離斜視図、図４は前後足５，６の上水平部５ｃ，６ｃを固着した状態の図で、（Ａ）は上方から見た斜視図、（Ｂ）及び（Ｃ）は下方から見た斜視図、図５のうち（Ａ）は前後足５，６を固着して受け部材１１を固着した状態の斜視図、（Ｂ）は脚装置１とサポートフレーム４を固着した状態の斜視図、図６のうち（Ａ）は図２（Ａ）の VIA-VIA視断面図である。
【００３２】
既述のように、前後足５，６の上水平部５ｃ，６ｃは楕円形の断面形状であるが、例えば図６に明示するように、これら上水平部５ｃ，６ｃは、側面視で傾斜部５ａ，６ａの延び方向と直交した方向が長円方向になっている。この場合、既述のように前後足５，６の傾斜部５ａ，６ａの傾斜角度が違うので、前後上水平部５ｃ，６ｃの長円方向の軸線が水平又は鉛直に対して成す角度は相違している。また、後部足６の上水平部６ｃは前部足５の上水平部５ｃよりも若干の寸法（１０〜０ｍｍ程度）だけ下方に位置しており、これら前後上水平部５ｃ，６ｃにサポートフレーム４の下水平部４ｂが上方から当接している。隣り合った水平部５ｃ，６ｃ，４ｂは互いに溶接されている。
【００３３】
既述のとおり、サポートフレーム４は下水平部４ｂも楕円形であるが、背支柱４ａは鉛直線に対してやや後傾しているため、下水平部４ｂは、側面視において長円方向の軸線が水平に対してやや後傾した姿勢になっている。
【００３４】
さて、仮に真円の３本のパイプを束ねた場合、パイプ同士の当接する位置が３カ所存在しており、この３つの当接位置を結ぶ線はパイプの軸線方向から見て、各パイプの半径を一辺の長さとする正三角形になっている。他方、図６から理解できるように、本実施形態では隣り合った水平部５ｃ，６ｃ，４ｂは線接触状に当接して３つの当接点Ｐ１，Ｐ２，Ｐ３が存在するが、本実施形態では各水平部５ｃ，６ｃ，４ｂが楕円形であるため、隣り合った当接点Ｐ１，Ｐ２，Ｐ３の間の間隔は楕円の短円方向の直径よりは遥かに大きい寸法になっており、このため、各水平部５ｃ，６ｃ，４ｂが同一断面積の真円である場合に比べて、隣り合った当接点Ｐ１，Ｐ２，Ｐ３の間隔寸法を大きくすることができ、その結果、３本の水平部５ｃ，６ｃ，４ｂは格段に高い強度で固着できる。
【００３５】
左右の前部足５には継手部材１４が挿入されている。本実施形態の継手部材１４は１枚の平板１５の表裏両面に真円のパイプ１６を溶接して製造されているが、例えば相似形の楕円パイプや中実のブロック状に形成するなど、その形態は任意に設定できる。本実施形態の場合、平板１５と上水平部５ｃ，６ｃとの間には若干の隙間が空いているが、平板１５を上水平部５ｃ，６ｃに当てても良い。
【００３６】
前後の上水平部５ｃ，６ｃの間には上向きの空間が形成されているが、この空間に左右飛び飛びの状態で側面視略三角形の姿勢保持材１７を嵌め込み、これを両者に溶接している。姿勢保持材１７の各辺は５ｃ，６ｃ，４ｂに密接する円弧形状になっている。姿勢保持材１７の存在により、前後上水平部５ｃ，６ｃの固着強度が格段に高くなると共に、各水平部５ｃ，６ｃ，４ｂを所定の姿勢に位置決めできる。本実施形態では姿勢保持材１７は正三角形状で各辺がゆるく凹んだ形状に形成されており、方向性はない。本実施形態では姿勢保持材１７を板材で製造しているが、左右長手の棒状やブロック状に形成することも可能である。
【００３７】
前後上水平部５ｃ，６ｃの間にできた下向きの空間には下方から連結ロッド１８が嵌め込まれており、連結ロッド１８が前後上水平部５ｃ，６ｃに溶接されている。椅子に作用した下向きの荷重は前後上水平部５ｃ，６ｃを股裂きするように作用するが、連結ロッド１８が前後上水平部５ｃ，６ｃに溶接されているため、前後上水平部５ｃ，６ｃのみ溶接
した場合に比べて高い固着強度を確保できる。
【００３８】
更に、前後上水平部５ｃ，６ｃには、側面視Ｌ形の補強板１９が重なっており、補強板１９を前後上水平部５ｃ，６ｃに溶接している。補強板１９は水平に対して後傾した前部１９ａと鉛直に対して後傾した後部１９ｂとでＬ形になっており、前後上水平部５ｃ，６ｃが側面視で前後に広がることが補強板１９で阻止されるため、高い支持強度を実現できる。
【００３９】
(3).カバー
次に、従前の図に加えて図６（Ｂ）〜図９も参照してカバー装置１２を説明す  る。図６（Ｂ）はカバー装置１２の縦断側面図、図７のうち（Ａ）はカバー装置１２を後ろから見た分離斜視図、（Ｂ）は組み立てられたカバー装置１２を後ろから見た斜視図、図８はカバー装置１２を手前側から見た分離斜視図、図９のうち（Ａ）はカバー装置１２の右端部（着座者から見て右端部）の箇所での図６（Ｂ）の IX-IX視断面図、（Ｂ）はカバー装置１２の左右中途部の箇所での図６（Ｂ）のIX-IX視断面図、（Ｃ）は図６（Ｂ）と同じ方向の断面図で切断場所を異ならせたものである。
【００４０】
カバー装置１２はフロント部材２０とリア部材２１とから成っており、フロント部材２０は前部上水平部５ｃを覆ってサポートフレーム４の下水平部４ｂまで延びている。他方、リア部材２１はフロント部材２０と部分的に重なりつつ補強板１９と後部上水平部６ｃを覆っており、サポートフレーム４の下水平部４ｂまで延びている。カバー装置１２は、３本の水平部５ｃ，６ｃ，４ｂから成る集合体を下方から大きく包み込んでおり、このため、フロント部材２０とリア部材２１とに分離構成している。
【００４１】
カバー装置１２は補強板１９を覆うものであるが、補強板１９は前後上水平部５ｃ，６ｃの下方及び後方に突出しているので、フロント部材２０及びリア部材２１は、補強板１９の左右端面を隠すため、左右の側板２０ａ，２１ａを有している（左右側板２０ａ，２１ａを剛性を高める副次的役割も持っている。）。従って、フロント部材２０とリア部材２１との左右側板２０ａ，２１ａは補強板１９の左右外側に位置している。
【００４２】
フロント部材２０のうち補強板１９の下方に位置する下後部２０ｂと、リア部材２１のうち補強板１９の下方に位置する下前部２１ｂとは薄肉化されて互いに重なり合うようになっている。正確には、リア部材２１の下前部２１ｂがフロント部材２０の下後部２０ｂに重なるようになっており、このため、フロント部材２０の下後部２０ｂは段落ちしてリア部材２１の下前部２１ｂは段上がりしており、結果としてフロント部材２０とリア部材２１との外周面は一体物の状態に滑らかに連続している。フロント部材２０の上部には、前部上水平部５ｃと下水平部４ｂとの間の空間に入り込むリブ２０ｃを一体に設けている。
【００４３】
リア部材２１の下前部２１ｂはフロント部材２０の左右側板２１の間に入り込むようになっており、従って、リア部材２１のうち下前部２１ｂの箇所には側板２１ａは存在していない。また、例えば図８に示すように、リア部材２１の下前部２１ｂには複数本の前向き開口溝２２を形成している一方、フロント部材２０の下後部２０ｂには、開口溝２２の箇所が入り込むＴ形の第１ストッパー２３を形成しており、これにより、フロント部材２０とリア部材２１とは上下離反不能に保持されている。
【００４４】
フロント部材２０の側板２０ａは補強板１９の左右端面に密接しているが、側板２０ａの前端部には補強板１９に上方から当接し得る第２ストッパー２４を内向きに突設している。第２ストッパー２４は側面視略台形状になっていが、この第２ストッパー２４は、前後上水平部５ｃ，６ｃの間に形成されて下向きの溝に入り込んでいる。逆の見方をすると、前後上水平部５ｃ，６ｃの間に下向きの溝が形成されていることを利用して、この溝に入り込む第２ストッパー２４を形成している。そして、第２ストッパー２４の存在により、カバー装置１２は落下不能に保持されている。
【００４５】
フロント部材２０とリア部材２１とは前後方向に抜けない離反しない状態に保持する必要がある。この保持手段として本実施形態では、リア部材２１の下前部２１ｂに左右複数個の係合穴２５を形成する一方、フロント部材２０の下後部２０ｂには、係合穴２５に嵌まる係合爪２６を形成しており、下後部２０ｂと下前部２１ｂとの弾性変形を利用して両
者を嵌脱させている。
【００４６】
カバー手段は様々の態様を採用できるが、本実施形態のようにカバー装置１２を補強板１９に係止する構成を採用すると、構造の複雑化を招来することなくカバー装置１２を脱落不能に保持できる利点がある。                          
(4).その他
本願発明は上記の実施形態の他にも様々に具体化できる。前後の上水平部とサポートフレームの下水平部とを左右長手の中間部材に重ね合わせて、各水平部を中間部材に固着しても良いのである。すなわち、各水平部は間接的に固着しても良いのである。また、左右前部足と前部上水平部、及び、左右後部足と後部上水平部とはそれぞれ１本のパイプで製造して、前後上水平部と下水平部とを溶接等で固着しても良い。この場合、上水平部及び下水平部を扁平状に潰することで三者を前後方向に重ね合わせるといったことも可能である。
【００４７】
座が跳ね上げ式である場合は、座は支持部材を介して脚装置に固定することも可能である。サポートフレームは単一構造に限定されるものではなく、背支柱と下水平部とを別々の部材で製造してから溶接等によって一体化することも可能である。更に、上水平部と下水平部との固着手段はボルト締結等も採用できる。また、前部足及び後部足とも上水平部を別部材として製造して、これらを溶接等で一体化しても良いのである。
【図面の簡単な説明】
【００４８】
【図１】本実施形態に係る椅子の斜視図である。
【図２】（Ａ）は部分的な正面図、（Ｂ）は側面図、（Ｃ）は部分的な斜視図である。
【図３】部材の分離斜視図である。
【図４】前後足の上水平部を固着した状態の図で、（Ａ）は上方から見た斜視図、（Ｂ）及び（Ｃ）は下方から見た斜視図である。
【図５】（Ａ）は前後足を固着して受け部材を固着した状態の斜視図、（Ｂ）は脚装置１とサポートフレーム４を固着した状態の斜視図である。
【図６】（Ａ）は図２（Ａ）の VIA-VIA視断面図、（Ｂ）はカバー装置の縦断側面図である。
【図７】（Ａ）はカバー装置を後ろから見た分離斜視図、（Ｂ）は組み立てられたカバー装置を後ろから見た斜視図である。
【図８】カバー装置１２を手前側から見た分離斜視図である。
【図９】（Ａ）はカバー装置の右端部の箇所での図６（Ｂ）の IX-IX視断面図、（Ｂ）はカバー装置の左右中途部の箇所での図６（Ｂ）の IX-IX視断面図、（Ｃ）は図６（Ｂ）と同じ方向の断面図で切断場所を異ならせたものである。
【符号の説明】
【００４９】
１  脚装置
２  座
３  背もたれ
５  前部足
５ａ  前部足の傾斜部  
５ｃ  前部足の前部上水平部
６  後部足
６ａ  後部足の傾斜部  
６ｃ  後部足の前部上水平部
１０  座用の受け部材
１２  カバー装置
１４  継手部材
１９  補強板
【図１】
2010005288.tif 000003
【図２】
2010005288.tif 000004
【図３】
2010005288.tif 000005
【図４】
2010005288.tif 000006
【図５】
2010005288.tif 000007
【図６】
2010005288.tif 000008
【図７】
2010005288.tif 000009
【図８】
2010005288.tif 000010
【図９】
2010005288.tif 000011